(57)【要約】【課題】天板の材質の選択の自由度を拡大できるシンクの止水構造とこの止水構造に用いるスペーサ部材を提供する。【解決手段】シンク１の上面開口部１ａに外側に延出させて設けられたフランジ１ｂにスペーサ部材５を装着する。スペーサ部材５により、フランジ１ｂの上面と天板２の下面との間にスペースを形成する。スペーサ部材５により形成されるスペースに止水材６を配置して止水する。スペーサ部材５は、シンクのフランジ１ｂの外周の傾斜部１ｅに嵌める装着溝５ｃを有する装着部５ａと、装着部５ａの上部の先端からシンク１側に突出して形成されたスペース形成部５ｂとを備える。少なくとも装着部５ａまたはスペース形成部５ｂ、もしくは装着部５ａからスペース形成部５ｂにわたって設けられた軟質部８もしくは中空部を備える。【選択図】図２
2017190569.tif 000002
【特許請求の範囲】
【請求項１】
シンクの上面開口部に外側に延出して設けられたフランジと、シンク上に配置される天板との間からの漏水を止めるシンクの止水構造において、
前記シンクのフランジに装着されて前記フランジの上面と前記天板の下面との間における前記シンクの前記上面開口部側にスペースを形成するスペーサ部材と、
前記スペースに配置されてそのスペースを塞ぐ止水材とを備えたことを特徴とするシンクの止水構造。
【請求項２】
請求項１に記載のシンクの止水構造において、
前記スペーサ部材の上面に、前記スペーサ部材と前記天板との下面との間を塞ぐ軟質部を備えたことを特徴とするシンクの止水構造。
【請求項３】
請求項１または２に記載のシンクの止水構造において、
前記フランジの上面に対面する前記スペーサ部材の下面に、前記スペーサ部材と前記フランジとの間を塞ぐ軟質部を備えたことを特徴とするシンクの止水構造。
【請求項４】
シンクのフランジに装着されて前記フランジの上面と天板の下面との間に、一次止水材を配置するためのスペースを形成するスペーサ部材であって、
前記シンクの前記フランジの外周の傾斜部に嵌められる装着溝を有する装着部と、
前記装着部の上部の先端からシンク側に突出して形成されたスペース形成部とを備えると共に、
二次止水材として、少なくとも、前記スペーサ部材と前記天板との間における漏水を防ぐ二次止水材であって、前記装着部または前記スペース形成部、もしくは前記装着部から前記スペース形成部にわたって一体に設けられた軟質部もしくは中空部を備えたことを特徴とするスペーサ部材。
【発明の詳細な説明】
【技術分野】
【０００１】
本発明は、台所等のカウンターに設置されるシンクにおける止水構造と、その止水構造に用いられるスペーサ部材に関する。
【背景技術】
【０００２】
台所等には、ステンレススチール等でなるシンクと、その上にカウンターとして設置される天板とが設けられ、シンクのフランジと天板との間の隙間からの漏水を防止する必要がある。このため、シンクのフランジと天板との間に止水材を配置する。この止水材としては、追従性および柔軟性のあるシリコン接着剤が賞用される。このような止水材を配置する止水構造の従来例として、特許文献１に記載のものがある。
【０００３】
この特許文献１に記載の止水構造は、図７（Ａ）に示すように、天板３１の開口縁の下面に、止水材充填用のスペースを形成するための溝３１ａを加工している。そしてその溝３１ａに、止水材として接着剤３２を充填してシンク３３の開口縁に設けたフランジ３３ａと天板３１の下面との間の隙間からの一次止水構造を実現している。天板３１の下面に設ける溝３１ａは、溝３１ａの周辺より溝３１ａの内部により多くの接着剤３２が充填される。その結果、天板３１の開口部近傍の下面における接着剤３２の追従性が向上する結果、天板３１とシンク３３をより強固に接合でき従来よりも接着剤３２の厚みを薄くすることができる。
【０００４】
３４はフランジ３３ａと天板３１との間に介在させるゴム等からなる弾性を有する止水材であり、二次止水構造を実現するもので、フランジ３３ａの外周側の傾斜部３３ｂに嵌めて取付けられる。図７（Ｂ）に示すように、止水材３４の本体部３４ａはほぼ均一の厚みを有し、本体部３４ａにはフランジ３３ａの外周側の傾斜部３３ｂに嵌める装着溝３４ｂを有する。また、本体部３４ａの上面部３４ｃには、立ち上がり状に軟質部３４ｄが形成されている。また、上面部３４ｃにはシンク側に突出させて形成された延出部３４ｅを有し、この延出部３４ｅは、その厚みをシンク側程薄く形成することにより、フランジ３３ａに追従して変形しやすくなるように構成されている。
【０００５】
この止水材３４は、フランジ３３ａへの取付け前の状態では、上面部３４ｃの裏面、すなわち装着溝３４ｂの内面３４ｆは、フラットである。しかし図７（Ａ）に示すように、止水材３４がフランジ３３ａに取付けられた状態では、延出部３４ｅは圧縮され、軟質部３４ｄは曲がって天板３１の下面に接する。
【先行技術文献】
【特許文献】
【０００６】
【特許文献１】特開２０１５−１１７４６３号公報
【発明の概要】
【発明が解決しようとする課題】
【０００７】
特許文献１においては天板３１の材質の一例として、人造大理石があげられている。人造大理石は樹脂や強化繊維等を用いて成形した成形材である。天板の材料として、人造大理石の他、セラミックも用いられる。セラミックは、人造大理石に比較し、強度が高いために傷つきにくい上、耐熱性が高く、その上、格調の高い濃色のものや種々の色のものが得やすいので、外観上のバリエーションが豊富なものも得やすい等、意匠の面でも優れた材料である。そこで、天板材料としてセラミックを採用し、特許文献１に記載のように、天板３１に接着剤３２を充填するための溝３１ａを加工する構造を採用することが考えられる。しかしながら、天板３１としてのセラミックに溝加工を行なうと、セラミックがひび割れや欠け等の損傷が生じやすいので、特許文献１に記載の構造では、天板３１としてセラミックを用いることが困難であり、天板の材質の選択の自由度が小さいという問題点がある。
【０００８】
本発明は、上記問題点に鑑み、天板の材質の選択の自由度を拡大できるシンクの止水構造と、この止水構造に用いるスペーサ部材を提供することを目的とする。
【課題を解決するための手段】
【０００９】
本発明のシンクの止水構造は、シンクの上面開口部に外側に延出して設けられたフランジと、シンク上に配置される天板との間からの漏水を止めるシンクの止水構造において、
前記シンクのフランジに装着されて前記フランジの上面と前記天板の下面との間における前記シンクの前記上面開口部側にスペースを形成するスペーサ部材と、
前記スペースに配置されてそのスペースを塞ぐ止水材とを備えたことを特徴とする。
【００１０】
また、本発明のシンクの止水構造は、前記シンクの止水構造において、
前記スペーサ部材の上面に、前記スペーサ部材と前記天板との下面との間を塞ぐ軟質部を備えたことを特徴とする。
【００１１】
また、本発明のシンクの止水構造は、前記シンクの止水構造において、
前記フランジの上面に対面する前記スペーサ部材の下面に、前記スペーサ部材と前記フランジとの間を塞ぐ軟質部を備えたことを特徴とする。
【００１２】
本発明のスペーサ部材は、シンクのフランジに装着されて前記フランジの上面と天板の下面との間に、一次止水材を配置するためのスペースを形成するスペーサ部材であって、
前記シンクの前記フランジの外周の傾斜部に嵌められる装着溝を有する装着部と、
前記装着部の上部の先端からシンク側に突出して形成されたスペース形成部とを備えると共に、
二次止水材として、少なくとも、前記スペーサ部材と前記天板との間における漏水を防ぐ二次止水材であって、前記装着部または前記スペース形成部、もしくは前記装着部から前記スペース形成部にわたって一体に設けられた軟質部もしくは中空部を備えたことを特徴とする。
【発明の効果】
【００１３】
本発明は、シンクのフランジと天板の下面との間にスペーサ部材を介在させ、そのスペーサ部材のシンクの上面開口部側に形成されたスペースに止水材を配置したので、天板に止水材を配置するための溝を形成する必要がない。このため、切削等の加工がしにくいセラミック等を天板として用いることが可能となり、天板の材質の選択の自由度が高まる。
【図面の簡単な説明】
【００１４】
【図１】（Ａ）は本発明によるシンクの止水構造の一実施の形態を示す断面図、（Ｂ）はこの実施の形態に用いるスペーサ部材の断面図である。
【図２】図１（Ａ）の要部拡大断面図である。
【図３】この実施の形態のシンクと天板との組み立て工程を説明する図である。
【図４】本発明のシンクの止水構造の他の実施の形態を示す断面図である。
【図５】図４の実施の形態の止水構造に用いるスペーサ部材の断面図である。
【図６】本発明の止水構造に用いるスペーサ部材の他の例を示す断面図である。
【図７】（Ａ）は従来のシンクの止水構造を示す断面図、（Ｂ）はその二次止水構造に用いる従来の止水材を示す断面図である。
【発明を実施するための形態】
【００１５】
図１（Ａ）は本発明によるシンクの止水構造の一実施の形態を示す断面図である。１はステンレススチール等でなるシンク、２は台所等のカウンターを構成する天板である。シンク１は上面開口部１ａを有する略矩形の容器状をなすもので、上面開口部１ａの周囲に外側に延出させて形成されたフランジ１ｂを有する。また、底板部１ｃには排水筒部１ｄを有する。
【００１６】
天板２は例えばセラミック製ものであり、シンク１の上面開口部１ａに対応して、この開口部１ａよりやや大きなサイズの開口部２ａを有する。天板２の下面には、天板２が撓んだ際の割れや衝撃による破損を防止するためのガラス繊維３等の補強材が設けられている。４は天板２の下面に補強のために接着等により固着した木製の補強板であり、この補強板４としては例えば合板等が用いられる。
【００１７】
５はシンク１のフランジ１ｂの全周にわたって装着するスペーサ部材である。図２に示すように、このスペーサ部材５は、フランジ１ｂの上面と天板２の下面との間にΔｈに示すスペースを、シンク１の上面開口部１ａ側に形成するものである。このスペーサ部材５は、硬質樹脂の成形により構成される。このスペーサ部材５としては、例えば硬質のシリコンゴムやエチレンプロピレンゴム（ＥＰＤＭ）等が用いられる。
【００１８】
６は止水材（一次止水材）であり、この止水材６は、フランジ１ｂの上面と天板２の下面との間に形成されたΔｈに示すスペースに、フランジ１ｂと天板２との間で挟持されて配置される。この止水材６としては、例えば軟質のシリコンゴムやエチレンプロピレンゴム等を用いることができる。
【００１９】
図１（Ｂ）に示すように、スペーサ部材５は、シンク１のフランジ１ｂに装着するための装着部５ａと、この装着部５ａの先端にシンク１側に突出させて設けられたスペース形成部５ｂとを有する。フランジ１ｂへの装着部５ａは、図２に示すフランジ１ｂの外周側の外下がりの傾斜部１ｅに嵌めて装着できるように、装着溝５ｃを有する。このフランジ１ｂへの装着部５ａは、スペーサ機能を発揮するスペース形成部５ｂに対して外側、すなわちシンク１の反対側が下がるように傾斜して形成されている。
【００２０】
７はスペース形成部５ｂの下面にスペーサ部材５と一体に設けられた軟質部、８は装着部５ａの傾斜した上面にスペーサ部材５と一体に設けられた軟質部である。これらの軟質部７，８は、例えば前記シリコンゴムやエチレンプロピレンゴムでなるスペーサ部材５よりも軟質の材料を、スペーサ部材５と同時に押し出し成形（２色成形）することによって形成されたもので、二次止水材として設けられたものである。これらの軟質部７，８は、スペーサ部材５への溶着等によっても設けることができる。スペーサ部材５の装着部５ａとスペース形成部５ｂとの間には角形の凹部５ｄが形成されている。この凹部５ｄは、スペース形成部５ｂの下面に設ける軟質部７の取付け面積を確保するために設けられる。
【００２１】
このスペーサ部材５は、フランジ１ｂへの取付け前の状態では、軟質部８の頂部８ａがスペース形成部５ｂの上面レベル１４より上に突出するように形成されている。また、スペース形成部５ｂの厚さｔ２は、図７（Ｂ）に示すスペーサ部材５におけるスペース形成部５ｂの厚さｔ１よりも大きく形成されている。また、このスペース形成部５ｂの厚さｔ２は、スペーサ部材５の装着部５ａにおける下半部の厚さｔ３の約２倍程度の厚さを有する。
【００２２】
９はシンク１を天板２に固定する金属製の固定金具であり、シンク１の周囲に複数個配設されるものである。この固定金具９は弾性を高めるためにＵ字形の湾曲部９ａを有する。この固定金具９は、スペーサ１０を介して補強板４にねじ込まれる取付けねじ１１により取付けられ、固定金具９の先端でシンク１のフランジ１ｂの下面を押圧してシンク１を天板２に固定する。同時にこの固定金具９は、シンク１を天板２側に弾性的に押圧することにより、止水材６や軟質部７，８を圧縮してフランジ１ｂと天板２の下面との間の水密性を確保する役目を果たす。
【００２３】
１２はシンク１の外周面と天板２の下面と補強板４との間の隙間に充填される充填材であり、例えばホットメルト型接着剤により充填、固化されるものである。
【００２４】
図３はこの実施の形態のシンク１と天板２との組み立て工程を説明するための分解図である。シンク１と天板２との組み立てに当たって、図３に示すように、天板２の下面が上になるように反転させ、反転させた状態で天板２の開口部２ａの縁近傍に、棒状をなす軟質のシリコンゴム等からなる止水材６を載せて固定しておく。
【００２５】
一方、シンク１のフランジ１ｂの全周にわたり、スペーサ部材５を装着しておき、シンク１も上下反転させ、シンク１を天板２に対して位置合わせして、フランジ１ｂを止水材６上に重ねる。
【００２６】
次に、固定金具９を、補強板４にねじ込んで締結する取付けねじ１１により固定することにより、フランジ１ｂを固定金具９により天板２に対して押圧する。これにより、止水材６および軟質部７，８を圧縮した状態で天板２とシンク１とを一体化する。その後、ホットメルト型接着剤等によりなる充填材１２を、シンク１の側面と天板２と補強板４の側面とにより形成されている溝に充填して固化させる。
【００２７】
このようにして構成された止水構造においては、固定金具９によってシンク１のフランジ１ｂが天板２に対して押圧されることにより、止水材６がフランジ１ｂと天板２との間で圧縮され、挟持されて配置されるため、フランジ１ｂと天板２との間のスペースが止水材６により閉塞されて一次止水がなされる。
【００２８】
また、スペーサ部材５の装着部５ａの上面に設けられている軟質部８が、天板２と装着部５ａの傾斜した上面との間で圧縮、挟持されるため、スペーサ部材５の上面側における二次止水構造が実現される。特に、この実施の形態のように、天板２がセラミックでなり、その下面にガラス繊維等の補強材３が設けられている場合、天板２の下面が凹凸面となるが、軟質部８がその凹凸面に追従して凹凸面を軟質部８で塞ぎ、スペーサ部材５の上面側の二次止水が良好になされる。
【００２９】
この実施の形態によれば、スペース形成部５ｂの上面は、天板２の下面に当接し、軟質部８は、軟質部８とスペース形成部５ｂと軟質部７の圧縮後のトータルの厚みに寄与しないから、図２に示すスペースΔｈを設計する場合、圧縮によるスペースΔｈの設計は、スペース形成部５ｂや軟質部７の厚みや圧縮による縮みについてのみ考慮すればよく、圧縮による縮みの小さいスペース形成部５ｂの厚さｔ２を大きくとることができる。このため、スペーサ部材５によるスペースΔｈの幅のバラツキが小さくなり、止水材６による水密性がより精度よく保持される。
【００３０】
なお、この実施の形態において、軟質部８は装着部５ａの上面上にすべて形成されている必要はなく、少量であればスペース形成部５ｂ上に軟質部８の一部が形成されていて、軟質部８の主要部が装着部５ａ上に設けられた構成にしてもよい。
【００３１】
一方、スペーサ部材５のスペース形成部５ｂの下面に設けられている軟質部７は、フランジ１ｂとスペース形成部５ｂとの間で圧縮、挟持されるため、スペーサ部材５の下面側における二次止水構造が実現される。特に、フランジ１ｂの表面に引っ掻き傷防止等のためのエンボス加工が施されている場合、軟質部７がエンボス加工による凹凸面に追従して凹凸面を軟質部７で塞いだり、フランジ１ｂの撓みに追従することができ、スペーサ部材５の下面側における二次止水が良好になされる。また、この実施の形態においては、スペース形成部５ｂの裏面に凹部５ｄを設けて軟質部７の取付け面積を広くしているので、軟質部７のフランジ１ｂの凹凸に対する追従がしやすくなる。
【００３２】
なお、この実施の形態における止水構造を実現するには、スペーサ部材５により形成するスペースの幅Δｈは、好ましくは１ｍｍ〜５ｍｍである。スペースΔｈが１ｍｍ未満であると、止水材６が天板２やフランジ１ｂの環境による寸法変化に耐えきれず、剥離してしまうおそれがある。一方、スペースが５ｍｍを超えると、止水材６や軟質部７，８が圧縮されることによる変形量が不足してフランジ１ｂや天板２の下面の凹凸に対する追従が困難となる。また、意匠上も止水材６が厚く見えることは好ましくない。
【００３３】
図４は本発明による止水構造の他の実施の形態を示す断面図、図５はこの実施の形態の止水構造に使用するスペーサ部材である。この実施の形態においては、スペーサ部材５Ｘのフランジ１ｂへの傾斜した装着部５ａのシンク１側から立ち上げた垂直部５ｅを介してスペース形成部５ｂを形成し、そのスペース形成部５ｂ上に軟質部８を設けたものである。垂直部５ｅとスペース形成部５ｂとの間に、軟質部７の取付け面積を拡げる凹部５ｄが形成される。
【００３４】
図４に示すように、この実施の形態のスペーサ部材５Ｘは、取付け状態において、軟質部８は、スペース形成部５ｂと天板２との間で圧縮されて変形することにより、スペーサ部材５Ｘと天板２との間の水密性を保ち、二次止水構造を実現する。また、この実施の形態においては、スペース形成部５ｂの裏面に凹部５ｄを設けて軟質部７の取付け面積を広くしているので、軟質部７のフランジ１ｂの凹凸に対する追従がしやすくなる。
【００３５】
図６は本発明によるスペーサ部材の他の例をさらに示す断面図である。このスペーサ部材５Ｙは、装着部５ａの傾斜した上面に、変形が容易な中空部５ｆを形成したものである。このスペーサ部材５Ｙにおいては、シンク１のフランジ１ｂと天板２との間で挟持され、中空部５ｅが圧縮されて変形することにより、天板２とスペーサ部材５Ｙとの間の止水がなされる。なお、中空部５ｆはスペース形成部５ｂもしくはスペース形成部５ｂから装着部５ａにわたって形成してもよい。
【００３６】
以上本発明を実施の形態により説明したが、本発明は、天板としてセラミック以外の材質を用いることができる。その他、本発明を実施する場合、本発明の要旨を逸脱しない範囲において、構成部材やその組み合わせについて、種々の変更、付加が可能である。
【符号の説明】
【００３７】
１  シンク
１ｂ  フランジ
２  天板
５，５Ｘ，５Ｙ  スペーサ部材
５ｆ  中空部
６  止水材
７，８  軟質部
【図１】
2017190569.tif 000003
【図２】
2017190569.tif 000004
【図３】
2017190569.tif 000005
【図４】
2017190569.tif 000006
【図５】
2017190569.tif 000007
【図６】
2017190569.tif 000008
【図７】
2017190569.tif 000009